(57)【要約】 【課題】処理回路および方法が、受信機のシンボル間干渉（ＩＳＩ）キャンセル性能に相当するキャンセルメトリックに基づいて、受信信号中のＩＳＩの測定値を計量し、その結果に基づき信号品質推定値を生成する。【解決手段】簡単な計量メトリックに基づき受信機のＩＳＩキャンセル性能を明らかにすることにより、正確な受信信号の品質測定値が、信号品質計算の中で複雑になる恐れのあるマルチパス合成重み計算を必要とせずに、受信信号中のキャンセルされていないＩＳＩの占める割合を示す方法で得られる。信号品質の推定結果は、対応するチャネル品質指標および通信リンク送信電力の制御コマンド等を送信するのに使用することができる。実施形態によっては、キャンセルメトリックは測定ＩＳＩキャンセル性能に基づく動的な値として維持され、また他の実施形態では、キャンセルメトリックは、例えばメモリに格納されたあらかじめ設定した値を含む。【選択図】図４
2007529174.tif 000002
【特許請求の範囲】
【請求項１】
シンボル間干渉キャンセル受信機における受信信号の受信信号品質を判定する方法であって、
前記受信信号におけるシンボル間干渉の推定値の生成と、
前記受信機のシンボル間干渉キャンセル性能に対応するスカラ値を備えるキャンセルメトリックによる前記推定されたシンボル間干渉の計測と、
前記計測されたシンボル間干渉に基づく前記受信信号品質の推定と、を備える方法。
【請求項２】
シンボル間干渉の前記計測された推定値に基づく前記受信信号品質の推定は、前記受信信号の信号対干渉比の推定を備える請求項１に記載の方法。
【請求項３】
前記受信信号の前記信号対干渉比の周期的な推定と、
サービスしている無線通信ネットワークへの対応するチャネル品質情報の周期的な送信と、を更に備える請求項２に記載の方法。
【請求項４】
前記受信信号の前記信号対干渉比の周期的な推定と、
対応するリンク電力制御コマンドの生成と、
サービスしている無線通信ネットワークへの前記リンク電力制御コマンド送信と、を更に備える請求項２に記載の方法。
【請求項５】
予め設定された値として前記受信機のメモリへの前記キャンセルメトリックの蓄積を、更に備える請求項１に記載の方法。
【請求項６】
前記受信機又は同じ型式の受信機のシンボル間干渉キャンセル性能を特徴づけることによる、前記キャンセルメトリックの前記予め設定された値の判定と、を更に備える請求項５に記載の方法。
【請求項７】
動作中に測定された前記受信機のシンボル間干渉キャンセル性能に基づき、動的に更新された値としての前記キャンセルメトリックの維持と、を更に備える請求項１に記載の方法。
【請求項８】
前記受信信号は、ＷＣＤＭＡ専用物理チャンネル（ＤＰＣＨ）を備え、
シンボル間干渉キャンセル受信機における受信信号の受信信号品質の判定は、
ＤＰＣＨ信号の各タイムスロットに対し、前記計測されたシンボル間干渉の推定値に基づく前記受信信号品質の推定と、
対応する送信電力制御コマンドの生成と、
サービスしているＷＣＤＭＡネットワークへの前記電力制御コマンドの送信と、を備える請求項１に記載の方法。
【請求項９】
前記受信信号におけるシンボル間干渉の推定値の生成は、前記受信信号における前記シンボル間干渉の期待値を備える請求項１に記載の方法。
【請求項１０】
前記受信機のシンボル間干渉キャンセル性能に対応するスカラ値を備えるキャンセルメトリックによる前記推定されたシンボル間干渉の計測は、前記シンボル間干渉の前記期待値と前記キャンセルメトリックとの、又は前記キャンセルメトリックの比との掛け算を備える請求項９に記載の方法。
【請求項１１】
シンボル間干渉の前記計測された推定値に基づく前記受信信号品質の推定は、
前記受信信号の受信信号電力の推定と、
シンボル間干渉以外に対応する前記受信信号の付加的な障害成分の推定と、
シンボル間干渉の前記計測された推定値の合計での前記受信信号電力と前記付加的な障害成分との比、としての前記受信信号の前記信号対干渉比の計算と、を備える請求項１に記載の方法。
【請求項１２】
前記受信信号電力、前記計測されたシンボル間干渉及び前記付加的な障害成分は、前記受信信号に関連する前記受信機においてＲＡＫＥフィンガーに対応する合成値を使用して推定される請求項１１に記載の方法。
【請求項１３】
前記受信信号の受信信号電力の推定は、実質的チャネル応答の大きさ及び前記受信信号に関連する伝播経路の信号振幅に基づく前記受信信号電力の計算を備える請求項１１に記載の方法。
【請求項１４】
シンボル間干渉以外に対応する前記受信信号の付加的な障害成分の推定は、受信パイロットチャネルシンボルに基づく干渉分散の推定を備える請求項１１に記載の方法。
【請求項１５】
サービスしている１つ以上のネットワーク送信機それぞれのキャンセルメトリックの蓄積と、を更に備え、
前記受信機のシンボル間干渉キャンセル性能に対応するスカラ値を備えるキャンセルメトリックによる前記推定されたシンボル間干渉の計測は、前記対応するキャンセルメトリックによる前記１つ以上のネットワーク送信機それぞれの推定されたシンボル間干渉推定値の計測を備える請求項１に記載の方法。
【請求項１６】
合成されたシンボル間干渉と前記受信信号における他の障害の生成に基づく前記キャンセルメトリックの判定と、
前記キャンセルメトリックを得るために、前記合成推定値からの前記他の障害に対応する雑音分散の推定値の除去と、を更に備える請求項１に記載の方法。
【請求項１７】
シンボル間干渉キャンセル受信機において使用するように構成された処理回路であって、
前記処理回路は、
前記受信信号におけるシンボル間干渉の推定値を生成するように構成された干渉推定回路と、
前記干渉推定回路に含まれ、又は関連し、前記受信機のシンボル間干渉キャンセル性能に対応するスカラ値を備えるキャンセルメトリックによる前記推定されたシンボル間干渉を計測するように構成された計測回路と、
前記計測されたシンボル間干渉に基づく前記受信信号品質の推定するように構成された信号品質推定回路と、を備える処理回路。
【請求項１８】
前記処理回路は、前記受信信号の信号対干渉比の推定によるシンボル間干渉の前記計測された推定値に基づいて前記受信信号品質を推定するように構成された請求項１７に記載の処理回路。
【請求項１９】
前記処理回路は、サービスしている無線通信ネットワークへの対応するチャネル品質情報の周期的な送信のために、前記受信信号の前記信号対干渉比を周期的に推定するように構成された請求項１８に記載の処理回路。
【請求項２０】
前記処理回路は、前記受信信号の前記信号対干渉比を周期的に推定し、サービスしている無線通信ネットワークへ送信するための対応するリンク電力制御コマンドを生成するように構成された請求項１８に記載の処理回路。
【請求項２１】
前記処理回路は、前記キャンセルメトリックとして、前記前記受信機のメモリから予め設定された値を受信するように構成された請求項１７に記載の処理回路。
【請求項２２】
前記処理回路は、動作中に測定された前記受信機のシンボル間干渉キャンセル性能に基づき、動的に更新された値として前記キャンセルメトリックを維持するように構成された請求項１７に記載の処理回路。
【請求項２３】
前記受信信号は、ＷＣＤＭＡ専用物理チャンネル（ＤＰＣＨ）を備え、
前記処理回路は、ＤＰＣＨ信号の各タイムスロットに対し、前記計測されたシンボル間干渉の推定値に基づく前記受信信号品質の推定と、サービスしているＷＣＤＭＡネットワークのための対応する送信電力制御コマンドの生成とにより、前記ＤＰＣＨ信号の受信信号品質を判定するように構成された請求項１７に記載の処理回路。
【請求項２４】
前記処理回路は、前記受信信号における前記シンボル間干渉の期待値を生成することで、前記受信信号におけるシンボル間干渉の推定値を生成するように構成された請求項１７に記載の処理回路。
【請求項２５】
前記処理回路は、前記受信機のシンボル間干渉キャンセル性能に対応するスカラ値を備えるキャンセルメトリックにより、前記シンボル間干渉の前記期待値と前記キャンセルメトリックとの、又は前記キャンセルメトリックの比との掛け算によって、前記推定されたシンボル間干渉を計測するように構成された請求項２４に記載の処理回路。
【請求項２６】
前記処理回路は、
前記計測された推定値に基づき、前記受信信号の受信信号電力の推定と、
シンボル間干渉以外に対応する前記受信信号の付加的な障害成分の推定と、
シンボル間干渉の前記計測された推定値の合計での前記受信信号電力と前記付加的な障害成分との比、としての前記受信信号の前記信号対干渉比の計算とにより、前記受信信号品質の推定するように構成された請求項１７に記載の処理回路。
【請求項２７】
前記処理回路は、前記受信信号に関連する前記受信機において、ＲＡＫＥフィンガーに対応する合成値に基づき、前記受信信号電力、前記計測されたシンボル間干渉及び前記付加的な障害成分を推定するように構成された請求項２６に記載の処理回路。
【請求項２８】
前記処理回路は、無線通信受信機においてベースバンド信号処理の配置および構成の集積回路装置の少なくとも１部を備える請求項１７に記載の処理回路。
【請求項２９】
前記処理回路は、１つ以上のサービスするネットワーク送信機のそれぞれのキャンセルメトリックを使用するように構成され、
前記計測回路は、前記対応するキャンセルメトリックを使用する各送信機のシンボル間干渉推定値を計測するように構成された請求項１７に記載の処理回路。
【請求項３０】
前記１つ以上のサービスするネットワーク送信機は、異なるネットワークセルに関連し、
前記処理回路は、セル毎にシンボル間干渉を推定し、計測する請求項２９に記載の処理回路。
【請求項３１】
無線通信ネットワークで使用される無線通信機器であって、
前記ネットワークから信号を受信するように構成された受信機と、
前記ネットワークに信号を送信するように構成された送信機と、
前記受信機及び送信機の動作を制御するように構成された１つ以上の制御回路を含み、
１つ以上の処理回路を備える前記受信機は、
前記受信信号におけるシンボル間干渉の推定値を生成するように構成された干渉推定回路と、
前記干渉推定回路に含まれ、又は関連し、前記受信機のシンボル間干渉キャンセル性能に対応するスカラ値を備えるキャンセルメトリックによる前記推定されたシンボル間干渉を計測するように構成された計測回路と、
前記計測されたシンボル間干渉に基づく前記受信信号品質の推定するように構成された信号品質推定回路と、を備える無線通信機器。
【請求項３２】
前記処理回路は、前記受信信号の信号対干渉比の推定によるシンボル間干渉の前記計測された推定値に基づいて前記受信信号品質を推定するように構成された請求項３１に記載の機器。
【請求項３３】
前記処理回路は、サービスしている無線通信ネットワークへの対応するチャネル品質情報の周期的な送信のために、前記受信信号の前記信号対干渉比を周期的に推定するように構成された請求項３２に記載の機器。
【請求項３４】
前記処理回路は、前記受信信号の前記信号対干渉比を周期的に推定し、対応するリンク電力制御コマンドを生成するように構成され、
前記機器は、サービスしている無線通信ネットワークへ前記リンク電力制御コマンド送信するように構成された請求項３２に記載の機器。
【請求項３５】
前記処理回路は、前記キャンセルメトリックとして、前記前記受信機のメモリから予め設定された値を受信するように構成された請求項３１に記載の機器。
【請求項３６】
前記処理回路は、動作中に測定された前記受信機のシンボル間干渉キャンセル性能に基づき、動的に更新された値として前記キャンセルメトリックを維持するように構成された請求項３１に記載の機器。
【請求項３７】
前記受信信号は、ＷＣＤＭＡ専用物理チャンネル（ＤＰＣＨ）を備え、
前記処理回路は、ＤＰＣＨ信号の各タイムスロットに対し、前記計測されたシンボル間干渉の推定値に基づく前記受信信号品質の推定と、サービスしているＷＣＤＭＡネットワークのための対応する送信電力制御コマンドの生成とにより、前記ＤＰＣＨ信号の受信信号品質を判定するように構成された請求項３１に記載の機器。
【請求項３８】
前記処理回路は、前記受信信号における前記シンボル間干渉の期待値を生成することで、前記受信信号におけるシンボル間干渉の推定値を生成するように構成された請求項３１に記載の機器。
【請求項３９】
前記処理回路は、前記受信機のシンボル間干渉キャンセル性能に対応するスカラ値を備えるキャンセルメトリックにより、前記シンボル間干渉の前記期待値と前記キャンセルメトリックとの、又は前記キャンセルメトリックの比との掛け算によって、前記推定されたシンボル間干渉を計測するように構成された請求項３８に記載の機器。
【請求項４０】
前記処理回路は、
前記計測された推定値に基づき、前記受信信号の受信信号電力の推定と、
シンボル間干渉以外に対応する前記受信信号の付加的な障害成分の推定と、
シンボル間干渉の前記計測された推定値の合計での前記受信信号電力と前記付加的な障害成分との比、としての前記受信信号の前記信号対干渉比の計算とにより、前記受信信号品質の推定するように構成された請求項３１に記載の機器。
【請求項４１】
前記処理回路は、前記受信信号に関連する前記受信機において、ＲＡＫＥフィンガーに対応する合成値に基づき、前記受信信号電力、前記計測されたシンボル間干渉及び前記付加的な障害成分を推定するように構成された請求項４０に記載の機器。
【請求項４２】
前記機器は、ＷＣＤＭＡ無線通信ネットワーク用に構成された移動端末を備え、
前記機器は、前記ネットワークで送信された１つ以上の受信ＷＣＤＭＡの前記処理回路の使用により、前記受信信号品質を判定するように構成された請求項３１に記載の機器。
【請求項４３】
前記移動端末は、前記ネットワークで送信された１つ以上のＷＣＤＭＡに対し、前記処理回路を介した受信信号品質の判定に基づき、前記ネットワークに順方向リンク電力制御コマンドを周期的に送信するように構成された請求項４２に記載の機器。
【請求項４４】
前記移動端末は、前記処理回路を介してなされた前記信号の受信信号品質に基づき、前記ネットワークで送信された高速パケットデータサービス信号のチャネル品質情報を周期的に報告するように構成された請求項４２に記載の機器。
【請求項４５】
シンボル間干渉キャンセル受信機における受信信号の受信信号品質を判定するコンピュータプログラムを蓄積するコンピュータ可読記憶媒体であって、
前記コンピュータプログラムは、
前記受信信号におけるシンボル間干渉の推定値を生成するプログラム命令と、
前記受信機のシンボル間干渉キャンセル性能に対応するスカラ値を備えるキャンセルメトリックにより前記推定されたシンボル間干渉を計測するプログラム命令と、
前記計測されたシンボル間干渉の推定値に基づき、前記受信信号品質を推定するプログラム命令と、を備えるコンピュータ可読記憶媒体。
【請求項４６】
前記計測されたシンボル間干渉の推定値に基づき前記受信信号品質を推定するプログラム命令は、
前記受信信号の受信信号電力を推定し、
シンボル間干渉以外に対応する前記受信信号の付加的な障害成分を推定し、
シンボル間干渉の前記計測された推定値の合計での前記受信信号電力と前記付加的な障害成分との比、としての前記受信信号の前記信号対干渉比の計算する、プログラム命令を備える請求項４５に記載のコンピュータ可読記憶媒体。
【請求項４７】
前記受信信号電力、前記計測されたシンボル間干渉、及び前記付加的な障害成分は、前記受信信号に関連する前記受信機においてＲＡＫＥフィンガーに対応する合成値を使用して推定される請求項４６に記載のコンピュータ可読記憶媒体。
【発明の詳細な説明】
【技術分野】
【０００１】
本発明は、一般に通信信号の処理に関するものであり、特に受信信号品質の測定に関するものである。
【背景技術】
【０００２】
多様な通信システムが、何らかの形の送信電力制御を採用しており、そこでは、送信機の送信電力が、遠く離れた受信機からのフィードバックを受けて明示的または暗示的に制御される。例えば、符号分割多元接続（ＣＤＭＡ）無線通信ネットワークなどの干渉制限システムでは、干渉を制御するために順方向および逆方向リンクの電力制御を行い、利用可能な送信電力資源の効率的使用を促進する。
【０００３】
既知の移動端末に関して、順方向リンク電力制御は、移動端末をサポートしているネットワーク基地局が移動端末から電力制御コマンドを受信し、その受信したコマンドに応じてその移動端末用に割り当てられた順方向リンクの送信電力を上げたり下げたりする調整を備える。移動端末が受信した順方向リンク信号品質が目標値を下まわる場合、移動端末は１つまたは複数の電力増加コマンドを送信し、逆に品質が目標を上まわる場合、１つまたは複数の電力低減コマンドを送信する。そのような比較および対応するコマンドの生成は、通常比較的頻繁に、例えば１秒間に数百回起こるので、送信している基地局は、目標とする信号品質を維持するため移動局向けの順方向リンク電力を絶えず調整する。この閉ループ方式の電力制御は「インナーループ」電力制御と呼ばれる。
【０００４】
「アウターループ」が、第２の通常はるかに遅い調整機構を加えることにより、上記インナーループ操作を補完する。その機構は、他の受信信号のメトリックに基づきインナーループ制御の目標を調整する。例えば、移動局は、アウターループ制御の基準として、順方向トラヒックチャネルで受信するフレームエラー率（ＦＥＲ）または同等のメトリックを評価してもよい。従って、ＦＥＲが現在の受信信号品質の目標に対して高すぎる場合、アウターループ制御機構はインナーループの目標を上方向に、例えば１ｄＢだけ調整する。逆に、ＦＥＲが許容できるエラー率より低い場合、アウターループ制御機構がインナーループの目標を下方向に調整するであろう。
【０００５】
上記のインナーループおよびアウターループ制御機構により、受信している移動局は、無線状態の変化に対し移動端末の目標の信号品質を維持するため、ネットワーク送信機が送信電力を随時動的に調整するのを確実にすると同時に、送信機が必要以上の電力で送信しないことを確実にする。同様のインナーループおよびアウターループの電力制御を、基地局とその基地局がサポートする移動端末のそれぞれの端末との間の逆方向リンクに対し、ネットワーク基地局に実装してもよい。順方向リンクと同様に、逆方向リンクの電力制御は、各移動局をサポートする基地局が目標の受信信号品質（およびデータエラー率）を維持するのに必要とする以上の電力を、各移動局が送信しないことを確実にする。
【発明の開示】
【発明が解決しようとする課題】
【０００６】
上記のリンク電力制御は説明すると簡単だが、実際にはそのような電力制御は、インナーループの電力制御の速度で受信した信号品質を都合よく正確に決定するという要件により、複雑になることがある。例えば、広帯域ＣＤＭＡ（ＷＣＤＭＡ）の仕様は、移動端末に各送信スロット中で比較的早く受信信号品質を計算し、対応する送信電力制御（ＴＰＣ）コマンド（ビット）を返すよう要求する。そのような環境での信号品質は、１台または複数台のネットワーク送信機からのマルチパス信号受信の特性に依存するので、実際に受信した信号品質の決定は、計算が複雑になることがある。
【課題を解決するための手段】
【０００７】
本発明は、受信機のシンボル間干渉（ＩＳＩ）キャンセル性能に相当するキャンセルメトリックに従って、受信信号中のＩＳＩの測定値を計測し、その結果に基づき信号品質の推定値を生成処理する方法および装置を備える。簡単な計測メトリックに基づき受信機のＩＳＩキャンセル性能を明らかにすることにより、正確な受信信号の品質測定が、信号品質の計算の中で複雑になる恐れのあるマルチパス合成重み計算を必要とせずに、受信信号中のキャンセルされていないＩＳＩの占める割合を示す方法で得られる。信号品質の推定結果は、対応するチャネル品質指標、通信リンク送信電力制御コマンド等を送信するのに使用することができる。
【０００８】
本発明によれば、シンボル間干渉キャンセル受信機における受信信号の受信した信号品質を決定する例示的な方法は、受信信号中のシンボル間干渉の推定値の生成と、受信機のシンボル間干渉のキャンセル性能に相当するスカラー値を含むキャンセルメトリックによる推定シンボル間干渉の計測と、推定シンボル間干渉の計測に基づく受信信号の品質の推定を備える。キャンセルメトリックはメモリに格納されたあらかじめ設定された値でもよいし、受信機のＩＳＩキャンセル性能の測定結果を反映するよう周期的または随時更新される動的な値を備えていてもよい。いずれにしても、推定信号品質は、例えば、ＷＣＤＭＡネットワークまたは別の種類のネットワーク中で順方向または逆方向リンクの電力制御用に、対応する送信電力制御コマンドの生成に、および／またはチャネル品質指標の生成に使用することができる。
【０００９】
上記の方法を補足すると、例示的な無線受信機の処理回路が、シンボル間干渉キャンセル受信機用に構成される。その受信機は、無線パームトップコンピュータ、無線携帯情報端末（ＰＤＡ）、またはセルラー方式電話等の別の種類の移動端末などの無線通信装置の少なくとも一部を備える。それとは関係なく、１つ以上の実施形態において、処理回路は、受信信号中のシンボル間干渉の推定値を生成するように構成された干渉推定回路を備える。干渉推定回路に含まれる、またはそれと関連する計測回路は、受信機のシンボル間干渉キャンセル性能に相当するスカラー値を備えるキャンセルメトリックに従って、推定シンボル間干渉を計測するように構成されている。さらに、含まれている信号品質推定回路は、推定シンボル間干渉の計測値に基づき受信信号品質を推定するように構成されている。
【００１０】
例示的な実施形態では、処理回路はベースバンド信号処理用に構成された集積回路デバイスに実装されている。しかし、当然のことながら、本発明はハードウェア、ソフトウェア、またはその組み合わせでも実施可能である。さらに、当然のことながら、当業者は先に大まかに記載された特徴や利点に加え、以下の詳細検討を読み添付の図面を閲覧することでさらに多くの特徴や利点を知るであろう。
【発明を実施するための最良の形態】
【００１１】
図１は、例示的な無線通信ネットワーク１０および例示的な無線通信機器１２を示す図である。ネットワーク１０は、機器１２を１つまたは複数の外部ネットワーク１４（例えば、ＰＳＴＮ（公衆交換電話網）、インターネット等）ならびに同じまたは別の無線ネットワーク中の他の機器と通信可能にリンクする。ネットワーク１０は、少なくとも無線ネットワーク制御装置（ＲＮＣ）１８を含む無線アクセスネットワーク（ＲＡＮ）１６、および「ノードＢ」送受信機とも呼ばれる１つまたは複数の無線基地局（ＲＢＳ）２０を備える。ＲＡＮ１６は、機器１２と１つまたは複数のコアネットワーク（ＣＮ）２２の間にネットワーク−無線インタフェースを提供し、そのＣＮは、外部ネットワーク１４に通信可能にリンクする。ここで、本文書中の全体を通じて、用語「備えている」および「備える」は、記述された特徴、完全体、ステップ、または構成要素の存在を明確にするが、１つまたは複数の他の特徴、完全体、ステップ、構成要素、またはそのグループの存在または追加を排除するものではない。
【００１２】
限定しない例として、ネットワーク１０はＷＣＤＭＡネットワークを備えていてもよく、機器１２はＷＣＤＭＡネットワーク用に構成された携帯端末を含んでもよい。ネットワーク１０の構成の他の選択範囲には、ＩＳ−９５Ｂ／ＩＳ−２０００およびＧＳＭなどを含むがそれに限定されるものではない。いずれにせよ、当業者は、図示のネットワークは説明を明快且つ容易にするため簡単化されており、実際の実装ではネットワーク１０はもっと複雑な可能性があることを理解するであろう。同様に、機器１２は本質的にあらゆる種類の携帯無線通信機器を備えていてもよく、その中には携帯電話、ポケットベル、コミュニケータすなわち電子手帳、スマートフォンなどのあらゆる機器を含む。便宜上、機器１２を、本文書の以下の部分では移動（無線）端末と呼ぶ。
【００１３】
当業者は熟知しているであろうが、移動端末１２は順方向無線リンク上で１つまたは複数のＲＢＳ２０から信号を受信し、逆方向リンク上で１つまたは複数のＲＢＳ２０に信号を送信する。各ＲＢＳ２０は、２つ以上の無線サービスエリアを扱うことができ、その各エリアはセルまたはセクタと呼ばれる。従って、運用中、常に、移動端末１２は２つ以上のセルにサービスを受ける可能性がある。特に、移動端末１２が、２つのセルのサービスエリアである過渡エリアに在るとき、その移動端末１２はソフトハンドオフモードで運用することができ、そこでは関与するＲＢＳ２０の２つ以上のネットワーク送信機のそれぞれが移動端末１２に送信する。高速下り回線パケットアクセス（ＨＳＤＰＡ）サービスなどの運用モードでは、移動端末１２は常にただ1つのセルからサービスを受ける。ＨＳＤＰＡでは、サービス中のＲＢＳ２０は、複数の移動端末１２間の共通（高速）下り回線チャネルの時間分割を調整し、各移動端末１２は、その必要性と無線状態ならびにネットワークのスケジューリング目標に従って、予定の時間にデータを受信する。
【００１４】
移動端末１２による受信信号品質の判定は、一般にその方式および機器構成のすべてにおけるその運用の側面を備える。例えば、非ＨＳＤＰＡの順方向リンクサービスでは、移動端末１２は、ネットワーク１０から受信した１つまたは複数の信号の品質の判定に基づき、送信電力制御（ＴＰＣ）コマンドを生成する。特に移動端末１２は、順方向リンク上でネットワーク１０から１つまたは複数の専用物理チャネル（ＤＰＣＨ）信号を受信してもよい。これらのチャネルは、例えばトラヒックチャネル、制御チャネル、またはその混合のチャネルを備える。いずれにせよ、移動端末１２にその信号を送信するのにネットワーク１０が使用する順方向リンク送信電力は、移動端末１２が既知の頻度で送信しネットワーク１０が受信するＴＰＣに基づいており、その送信頻度は、例示的な３ＧＰＰ  ＷＣＤＭＡ標準に示されているとおり、１秒当たり１５００回まで許容されている。
【００１５】
同様に、移動端末による受信信号品質の判定は、ＨＳＤＰＡ運用においても役割を果たす。移動端末１２は、順方向リンクのＨＳＤＰＡチャネル信号の電力制御を行わないが、チャネル品質指標（ＣＱＩ）の形式などで受信信号品質を判定し報告する。そのＣＱＩは、ネットワーク１０がＨＳＤＰＡチャネル上で携帯端末１２の運用および／または携帯端末１２の運用の時間計画を判定行うために必要な、適切なデータ転送速度を決定することを可能にする。例えば、移動端末１２がとりわけ悪いチャネル状態を示す１つまたは複数のＣＱＩを報告した場合、稼働中のＲＢＳのＨＳＤＰＡスケジューラは、現在よい無線状態を享受している他の端末を優先して、携帯端末１２に予定を組む上で低い優先度を与えてもよい。もっと一般的には、移動局が報告したＣＱＩを使用して、変調の種類、コード率、ブロック長などの移動局に対して使用される多くの無線サービスパラメータを決定してもよい。
【００１６】
これらの理由や他の理由によって、次いで、携帯端末１２は自分にサービスしている無線通信ネットワーク１０から受信する到着信号の品質を判定することを求められる。本発明による受信信号品質推定の改善に関する様々な側面を理解する上で、その信号処理に関連する一般的な枠組みを検討することは役に立つであろう。
【００１７】
限定ではない例で且つ表記の明瞭化のために、汎用レイクの文書でのＩＳＩキャンセルを説明するが、本発明は、当然のことながら、例えばチップ等化器などの他のＩＳＩキャンセル方法および装置にも適用可能である。そのことを考慮に入れて、ランダム時間プロセスχ（t）に対し、Ｅ（χ（ｔ））は、ｔの時点で与えられる期待値を意味する。複素値χに対し、その共役複素数をχ＊で示す。本文書中で使用されているように、肉太小文字は一般にベクトルを表し、肉太大文字は一般に行列を示す。最後に、
【００１８】
2007529174.tif 000003
【００１９】
で、複素数コラムベクトル
【００２０】
2007529174.tif 000004
【００２１】
のエルミート転置（Ｈｅｒｍｉｔｉａｎ  ｔｒａｎｓｐｏｓｅ）を表す。
【００２２】
受信ＤＰＣＨ逆拡散信号をその拡散率ｓｆで割った値を表す適切なモデルは、以下で与えられる。
【００２３】
2007529174.tif 000005
【００２４】
ここで、ｓは送信されたシンボルであり、｜ｓ｜＝１で、基地局（ＲＢＳ２０）から振幅αで送信される。ｈｆは、受信機および送信機の無線フィルタならびにｆで指定される時間遅延に対する伝播チャネル（すなわち、「実質的」チャネル応答）の総合特性である。ｎＩＳＩ，ｆはｆで指定されるフィンガー／遅延に関するシンボル間干渉である。ｎｆは熱雑音および他セルによる干渉であり、受信無線フィルタの前の独立した白色ガウス雑音プロセスとしてモデル化されている。ここで、フィンガー／遅延のすべては同じ基地局からのものである。
【００２５】
2007529174.tif 000006
【００２６】
を、信号を復調するために使用される重みベクトルであるとすると、次のようになる。
【００２７】
2007529174.tif 000007
【００２８】
ここで、Ｆはフィンガー／遅延の数に等しい。理想的には、正の定数ｃに対し、
【００２９】
2007529174.tif 000008
【００３０】
である。セルに対する信号対混信比（ＳＩＲ）の１つの指標として、次式を使用できる。
【００３１】
2007529174.tif 000009
【００３２】
慣例的に、式（３）は、既知の移動端末にＤＰＣＨ信号を送信するうえで使われるすべてのセルに対して計算される。セル当たりＳＩＲの合計が、最終のＳＩＲである。すなわち、移動端末は、そのマルチパス信号合成能力をうまく利用して、同じ信号を送るマルチパスチャネル上の１台または複数台のネットワーク送信機からの信号寄与を反映する実質的または総合のＳＩＲを取得する。述べたように、既知の移動端末は通常、インナーループの電力制御コマンドを生成するための根拠として、総合ＳＩＲを使用する。移動端末は、移動端末に割り当てられている順方向リンクの送信電力を継続的に閉ループ制御する一環として、ネットワークにそのコマンドを返信する。
【００３３】
ｎＩＳＩ，ｆとｎｆが相関がないと仮定することを制限するものはなく、大抵の場合、同じことはｗ＊fｎＩＳＩ，ｆとｗ＊fｎｆの関係にも当てはまる。端末受信機の逆拡散器（フィンガー）はチップ長のスペースを取り、
【００３４】
2007529174.tif 000010
【００３５】
の共分散行列はアイデンティティ行列
【００３６】
2007529174.tif 000011
【００３７】
×雑音分散σ２であると仮定すると、次式が導かれる。
【００３８】
2007529174.tif 000012
【００３９】
ここで、
【００４０】
2007529174.tif 000013
【００４１】
であり、実際的には、期待値を第１次循環フィルタで置き換えて計算してもよい。通常、共通パイロットチャネル（ＣＰＩＣＨ）または考慮中のネットワークの種類に対する他の適切な基準信号が計算に使用される。
【００４２】
式（３）の分子は、ＤＰＣＨ上のパイロットシンボルの組に関して、数値を求めることができる。Ｎｐ個のパイロットシンボルがあると仮定すると、
【００４３】
2007529174.tif 000014
【００４４】
ここで、Ｐｎは変数ｎにより指定されるパイロットシンボルである。ｎＩＳＩ，ｆ、ｎｆ、ｗ＊fｎＩＳＩ，ｆ、およびｗ＊fｎｆの掛け算の組み合わせは、すべて異なる時間サンプルに対して相関がないと仮定すると、容易に以下のように表わせる。
【００４５】
2007529174.tif 000015
【００４６】
従って、式（３）の信号品質は次のように表現される。
【００４７】
2007529174.tif 000016
【００４８】
ここで、係数２５６／ｓｆは、ＤＰＣＨとＣＰＩＣＨのパイロットシンボル間の拡散率の不一致に起因する。当業者は、他の拡散率の関係はそれに応じて割合を調整することにより対応でき、他のネットワークの種類では、他の相違に対応する必要があるだろうことを理解するであろう。簡単に言うと、異なるデータ転送速度および送信電力等を計測ないしは他の方法で関連付けるため、調整方法を選択し実行する必要が恐らくある。
【００４９】
いずれにせよ、復調重みベクトル
【００５０】
2007529174.tif 000017
【００５１】
を計算することは、一般に計算上集中的な演算である。しかし、前述の方法で総合受信信号品質を判定するには、合成重みベクトル
【００５２】
2007529174.tif 000018
【００５３】
を計算して、それに応じてマルチパス信号の合成を必要とする。換言すると、従来の移動端末は、総合信号品質の正確な推定値を取得するため（例えば、合成されたマルチパス信号の総合ＳＩＲを推定するため）、合成重みベクトル計算の実施を要求されている。
【００５４】
その要求は、従来の移動端末に比較的重い計算上の負荷を負わせる。例えば、関係のある３Ｇパートナーシッププロジェクト（３ＧＰＰ）の仕様は、最初の伝播チャネルパスの受信から正確に５１２チップ後に、移動端末がＴＰＣビットを送信することを要求する。通常、最初のパスと可能性のある別のセルの最後のパスの間には１００チップの広がりがあり、これにより、専用物理制御チャネル（ＤＰＣＣＨ）上でネットワークに返信するＴＰＣビットを生成するのに、端末に残される時間は約４００チップである。
【００５５】
その時間内に受信信号品質を推定するのに使用する合成重みを計算することは、回路の複雑さおよび／またはプロセッサーのクロックスピードの点で相当量の処理電力を必要とする。その電力要件は、コスト、サイズ、電池寿命の点で望ましくない。さらに、
【００５６】
2007529174.tif 000019
【００５７】
を生成するのに使用するアルゴリズム次第だが、受信ベクトル
【００５８】
2007529174.tif 000020
【００５９】
の非線形特性に多くの場合依存し、復調重みベクトルは幾分雑音を含み、それにより、式（３）で与えられる信号品質測定値がさらに悪化する。
【００６０】
本発明に従って構成される例示的な受信機処理回路では、受信信号品質は、受信信号に対するＩＳＩ推定値を計測するため使用するＩＳＩキャンセルメトリックに基づき推定される。そのメトリックは、処理回路を含む受信機の特徴とされたまたは測定されたＩＳＩキャンセル性能を反映する。従って、メトリックを受信信号の推定ＩＳＩに適用することにより、処理回路は、計算上効率的な方法で受信信号品質の推定プロセスの中で、キャンセルされていないＩＳＩの割合を示す。
【００６１】
図２は例示的な処理回路で実施される例示的な処理論理を説明しており、その処理回路自体が本文書中で以下説明される。その処理論理は、ハードウェア、ソフトウェア、またはその組み合わせで実施することができる。それにもかかわらず、図に示されているように例示的な処理は、関与する受信信号のサンプル（例えば、受信逆拡散ベースバンドサンプル）は数値計算に利用できると仮定し、従って信号品質推定の処理は、受信信号中のＩＳＩ推定値を生成するため、そのサンプルの数値計算を始める（ステップ１００）。
【００６２】
例示的な処理では、受信機のＩＳＩキャンセル性能を反映する適切な値を持つキャンセルメトリックに従って、処理回路が推定されたＩＳＩを計測し続ける（ステップ１０２）。本文書中で非常に詳しく後述するように、キャンセルメトリックは、受信機の特徴づけられたＩＳＩキャンセル性能を反映するあらかじめ設定された値でもよいが、例えば、運用中に受信機が測定するＩＳＩキャンセル性能に基づき、受信機の継続運用中に動的に更新される「即時の」値でもよい。
【００６３】
いずれにせよ、スカラー値の簡単なキャンセルメトリックの使用は、その合成を求めるために究極的に使用する合成重み計算を実際に必要とすることなしに、合成受信信号に対し求められるキャンセル性能を適切に反映する計算条件を提供する。従って、次いで処理回路は、ＩＳＩ推定値の計量に基づき受信信号の品質推定を実行できる（ステップ１０４）。その品質推定処理は、総合ＳＩＲ推定値を生み出すよう設計されてもよく、次いで、その総合ＳＩＲ推定値はネットワーク１０に返信するＴＰＣコマンドを生成するために使用するか、またはネットワーク１０に返信するＣＱＩの作成などの他の目的に使用してもよい。
【００６４】
限定ではない例として、キャンセルメトリックは、推定ＩＳＩに直接掛け算することにより、受信機がＩＳＩキャンセルした後の受信信号に残ると予想されるキャンセルされていないＩＳＩに相当する値を生成するように構成することができる。参考のため、従来のレイク受信機はＩＳＩキャンセルを実施しない、従ってキャンセルメトリック「１」に相当し、すべてのＩＳＩが存続すると予想されていることを意味する。逆に、ほぼ完璧にＩＳＩキャンセルをもたらす受信機のアーキテクチャでは、キャンセルメトリックは例えば０．１または０．２が使われていてもよい。もちろん、キャンセルメトリックは大きい数字（例えば、＞１）の使用が強力なＩＳＩキャンセルを反映するよう設計されてもよく、その場合、推定されるＩＳＩはメトリックの逆数を掛け算したものである。
【００６５】
図３は、移動端末１２の例示的な図を取上げている。図では、移動端末１２は、送信／受信アンテナ３０、スイッチおよび／または送受切替回路３２、処理回路３６を含む受信機３４、送信機３８、システム制御装置回路４０、ならびにディスプレイ、キーパッド、マイクロフォンおよびスピーカの１つまたは複数を含んでもよいユーザインタフェース４２を備える。当業者は、移動端末１２のアーキテクチャは必要または要望により変えることができ、図に示されているその機能の配列は処理回路３６をもっと詳細に検討するための単に例示的なよりどころとして使用されていることを理解するであろう。
【００６６】
１つ以上の実施形態の中で、処理回路３６は、図２の例示的な処理論理に従って構成される。処理回路３６は、ハードウェアおよびソフトウェア等で実施できるが、いずれにせよ、その例示的な実施形態は、図４に例示されている機能配列を含む。図４は、処理回路３６を検討するうえで役立つ受信機３４の詳細もさらに示す。
【００６７】
例示的な受信機３４は、処理回路３６に加え、受信機フロントエンド５０、逆拡散器５２、遅延選択器５４、信号検出／追加処理回路５６、および電力制御回路５８を備える。それらの回路はすべて、ハードウェア、ソフトウェア、またはその組み合わせで個別または集合的に実施できる。例示的な実施形態では、１つまたは複数の回路が、処理回路３６と一緒に集積回路（ＩＣ）素子の中に組み込まれており、その素子には、ＡＳＩＣ、ＦＰＧＡ、または他のそのような論理処理回路を備えてもよい。
【００６８】
動作においては、受信機フロントエンド５０は、必要に応じてフィルタ、増幅器、ミキサ、アナログデジタル変換器（ＡＤＣ）を備え、逆拡散器５２に入力する受信信号サンプルを生成する。逆拡散器５２は、レイクフィンガーと呼ばれることもあり、受信信号サンプルと様々な遅延またはオフセットにおける選択された相関コードを相関させ、受信信号の１つまたは複数の伝播パスに対応する逆拡散サンプル値の様々なストリームを生み出す。例示的な逆拡散器５２はさらに、１つまたは複数の逆拡散器を、受信信号中の雑音および干渉の推定を促進するよう「オフパス」に位置を定める。遅延選択器５４は一般に、その逆拡散器の遅延指定のすべてを設定／更新するよう構成される。
【００６９】
逆拡散出力値は追加処理回路５６に供給される。その回路には、必要または要望によりレイク合成回路、復調回路、検出回路を含んでもよい。もちろん、当然のことながら、追加処理回路５６は本質的に、例えばトレリスデコーダ（ｔｒｅｌｌｉｓ  ｄｅｃｏｄｅｒ）および決定フィードバック等化器等の少なくともいくらかのＩＳＩキャンセルを行うどのような機器構成にも決めることができることは理解されるべきである。
【００７０】
述べたように、処理回路３６が使用する例示的キャンセルメトリックは、そのＩＳＩキャンセル性能を反映する。従って、図の例示的な処理回路の配列を見ると、干渉推定回路６０、計測回路６２（これは、推定回路６０に含まれているか一体化されていてもよい）、例えばＳＩＲ生成器回路である信号品質推定回路６４を備えることがわかる。ＳＩＲ推定値または他の信号品質推定値は、処理回路３６が電力制御回路５８に提供してもよい。その電力制御回路５８はインナーループ制御回路６６およびアウターループ制御回路６８を含む。処理回路３６が生成する信号品質推定値は、電力制御回路５８が使用し、そのインナーループ制御の一部としてＴＰＣコマンドを生成する。
【００７１】
先の例示的な回路の詳細を考慮して、本発明は、１つ以上の実施形態において、次式で表される効率的に計算できる受信信号品質の推定を提供する。
【００７２】
2007529174.tif 000021
【００７３】
ここで、ｕはキャンセルメトリックであり、どの程度のＩＳＩが平均的に残留するかを表す。
【００７４】
メトリックｕの個別の値は、特徴とされるものであれ測定によるものであれ、ＩＳＩキャンセル性能に依存する。述べたように、伝統的なレイク受信機のｕは１であり、理想的なＩＳＩキャンセラのｕは０である。また、複数のセルを繰り入れている式（６）は、ＩＳＩのキャンセルが各セルに対して実行されることを暗示する。ＩＳＩのキャンセルが選ばれたセルだけで行われる場合、または様々なＩＳＩのキャンセルが様々のセルで行われる場合、式（６）は次のようになる。
【００７５】
2007529174.tif 000022
【００７６】
ここで、Ｃは関与するＤＰＣＨ信号または他の信号を送信するセル数の合計であり、
【００７７】
2007529174.tif 000023
【００７８】
はセルｃのフィンガー数である。引き続き、ＤＰＣＨが１つのセルから送信されるときだけ、処理される。一般的な事例への拡張は容易である。
【００７９】
ｕの値は、あらかじめ設定された値または動的に推定された値として、入手可能である。また、Ｅ（｜ｎｆ｜２）＝σ２である。干渉の分散σ２は必要または要望によりいくつもの方法で推定することができるが、例示的な推定方法は本文書と同日に米国に特許出願申請された、名称「汎用レイク受信機のパラメータを推定する方法および装置」に述べられている。その出願はさらに代理人整理番号第４０１５−５１６１により識別されており、参照することによりその全体が本書の一部を構成する。
【００８０】
こうして、σ２と、
【００８１】
2007529174.tif 000024
【００８２】
の推定から、Ｅ（Ｓ＊ｙｆ）＝αｈｆのようになる。
【００８３】
上式は、ＤＰＣＨ上のパイロットシンボルｐｎに関して、次のように推定できる。
【００８４】
2007529174.tif 000025
【００８５】
上式は、ｎＩＳＩ，ｆとｎｆのすべての掛け算の組み合わせは時間の異なるサンプルについて相関がないと仮定すると、次のように表せる。
【００８６】
2007529174.tif 000026
【００８７】
次いで、式（６）は次のように推定できる。
【００８８】
2007529174.tif 000027
【００８９】
式（９）の計算は、本文書中で前述したＴＰＣコマンド生成に対する時間要件以内に容易に実施できる。そのような計算をサポートして、本文書中で後述される式（Ａ５）が、以下を明らかにする。
【００９０】
2007529174.tif 000028
【００９１】
ここで、最初の項は
【００９２】
2007529174.tif 000029
【００９３】
である。ｐは物理チャネルを順に挙げる。αｐは物理チャネルｐの信号振幅である。ｈｌｐｒｏｐはＬ個からなる伝播遅延の組の中の遅延ｌで指定される逆拡散器のフィンガーに対する伝播チャネルの影響である。表記を簡素化するため、ここでは逆拡散器の指定値
【００９４】
2007529174.tif 000030
【００９５】
を、伝播チャネル時間遅延に対応しない時間遅延にマッピングする。
【００９６】
本文書中に後述される式（Ａ６）から、続いて推定雑音分散
【００９７】
2007529174.tif 000031
【００９８】
が次式で与えられる。
【００９９】
2007529174.tif 000032
【０１００】
ここで、
【０１０１】
2007529174.tif 000033
【０１０２】
以下の検討では、
【０１０３】
2007529174.tif 000034
【０１０４】
により指定される遅延／フィンガーを余分のフィンガーのセットＥと呼び、
【０１０５】
2007529174.tif 000035
【０１０６】
により指定される遅延／フィンガーを（相関）最大値のセットＰと呼ぶ。
【０１０７】
ｙｆＣＰＩＣＨ（ｎ）を、受信逆拡散ＣＰＩＣＨシンボルを拡散率２５６で割ったものとしよう。定義によれば、既知のＷＣＤＭＡタイムスロットには１０のＣＰＩＣＨシンボルがある。本発明は容易にダイバーシティ構成に適応可能であるが、説明を容易とするため、セルは送信ダイバーシティモードを使用していないと仮定する。その場合には、Ｅ（｜ｙｆ−Ｅ（ｙｆ）｜２）は次のように推定できる。
【０１０８】
2007529174.tif 000036
【０１０９】
ここで、ｇｆＣＰＩＣＨ（ｎ）はＳｎｙｆＣＰＩＣＨ（ｎ）に等しく、シンボルｎ中のチャネル推定値と解釈される。係数１／９はＩｆの期待値をＥ（｜ｙｆ−Ｅ（ｙｆ）｜２）に確実に等しくする。係数２５６／ｓｆは推定値をＤＰＣＨ拡散率に変換する。ｇｆ、ｉｐＣＰＩＣＨ（ｎ）は、次式により与えられる補間により求められる推定値である。
【０１１０】
2007529174.tif 000037
【０１１１】
補間した推定値を使用し、Ｉｆの値は、少なくとも速度が２５０ｋｍ／ｈまで正確である。フィルタを通したＩｆを取得するため、次式を使用してもよい。
【０１１２】
2007529174.tif 000038
【０１１３】
式（１２）では、セットＥのフィンガーに対して、Ｅ（ｙｆ）は零に等しいと観測することができ、それにより式（１３）は次のように簡単になる。
【０１１４】
2007529174.tif 000039
【０１１５】
しかし、その簡単化は式（１１）の分散推定に関して得られる結果を不利に変える可能性があり、従って、本発明の例示的実施形態では、そのような簡単化を行わない。その結果、首尾一貫した近似がＥ（｜ｙｆ−Ｅ（ｙｆ）｜２）の全計算に使用される。ＣＰＩＣＨが位相基準として使用可能な場合、既知のレイク受信機に対する変調重みベクトルは以下のように表される。
【０１１６】
2007529174.tif 000040
【０１１７】
上記の情報を考慮して、図５は処理回路３６の実装のため詳細な処理論理を例示しており、そこでは、セルごとのキャンセルメトリックを任意で使用する複数のセルにわたる処理が考慮されている。まず、考慮下にある各セルに対応する（逆拡散の）フィンガーの組が考慮の対象となるフィンガーを定義すると仮定し、処理が、考慮されるべき１番目のセルに対応する１組のフィンガーの選定から始まる（ステップ１１０）。選ばれたフィンガーの組は、
【０１１８】
2007529174.tif 000041
【０１１９】
により指定され、そこではその指定は、選ばれたセルに関連する伝播チャネル遅延の組に対する１組の遅延に対応する。選ばれたフィンガーの組は、セットＰと呼ばれる。
【０１２０】
処理は、フィルタ処理されたＩＳＩおよび雑音と干渉を加えた推定値の計算を続ける（ステップ１１２）。その処理の一部として、フィンガーの余分の組であるセットＥが選ばれる。セットＥは
【０１２１】
2007529174.tif 000042
【０１２２】
で指定され、それを構成するフィンガーは、例示的な実施形態では、伝播チャネル遅延から少なくとも５チップ離れている。すなわち、セットＥのフィンガーは「オフパス」である。前述した変調重みベクトル
【０１２３】
2007529174.tif 000043
【０１２４】
は、変調／復号化の一部として受信信号合成のため受信機３４によりまだ計算可能だが、セットＰとセットＥを含むフィンガーの組み合わせたセットに対して計算してもよいので、逆拡散器を不必要に無駄に使用しないことは有益である。
【０１２５】
処理は、既知のセルに対する雑音を計算し続ける（ステップ１１４）。処理回路３６は、セットＰとセットＥ用の２つのフィルタ定数λ１とλ２を使用して、Ｉ（１）ｆ、ｆｉｌｔとＩ（２）ｆ、ｆｉｌｔを計算するよう設計してもよい。伝播チャネルのコヒーレンス長と等しくするには１／λ１を必要とする可能性がある。すなわち、伝播チャネルが一定に留まるスロット数に等しくするため１／λ１を選んでもよい。これは、ドップラー周波数に基づき以下のように計算できる。
【０１２６】
2007529174.tif 000044
【０１２７】
多くのドップラー推定子のどれでも、ドップラー周波数ｆＤｏｐｐｌｅｒを推定するのに使用できる。代わりに、処理回路３６は、常にλ１を１に設定するように設計できる。Ｉ（１）ｆ、ｆｉｌｔ項は、現在観測できるＩＳＩと雑音の合計を把握する。例示的な実施形態では、１／λ２の値は、２００〜６００に選ばれ、４００が推奨されるが、限定はしない値である。
【０１２８】
次いで、処理は、次式により雑音分散の推定を続ける（ステップ１１４）。
【０１２９】
2007529174.tif 000045
【０１３０】
ここで、
【０１３１】
2007529174.tif 000046
【０１３２】
また、次式により、式（９）で使用される
【０１３３】
2007529174.tif 000047
【０１３４】
の推定も続ける。
【０１３５】
2007529174.tif 000048
【０１３６】
また、本文書中で先に述べたように、読者は先に確認した同時に継続中の出願の開示を参照でき、その出願全体が本文書の一部を構成する。
【０１３７】
処理は、式（９）で与えられる受信信号品質の推定を続け、例えば考慮下のセルに対する推定ＳＩＲを計算する（ステップ１１６）。考慮すべきセルがさらにある場合（ステップ１１８）、次に考慮されるべきセルが選ばれ、新しく選ばれたセルに関連するフィンガーに関して上記の処理が繰返される。このやり方で、例えばＳＩＲ値を含む受信信号品質が、考慮下にある全セルに対して推定される。従って、全セルが考慮された後、例示的な受信機は、それらのセルの個別のＳＩＲの合計として、すべての考慮したセルに対する総合ＳＩＲを計算するよう設計される（ステップ１２０）。従って、推定総合ＳＩＲは、正確な総合ＳＩＲ推定の必要な要素として合成重みベクトル計算および受信信号合成を行う必要なしに、受信機３４のＩＳＩキャンセル効果からもたらされるであろう（または、もたらされると推定される）ＩＳＩのキャンセルを反映する。
【０１３８】
上記の例示的な信号処理の結果得られる受信信号の品質推定値は、必要または要望に応じて、インナーループ電力制御への使用および／またはＣＱＩ報告の作成のため、電力制御回路５８に総合ＳＩＲ推定値を提供するなどの追加の受信機操作を実行するのに使用してもよい。図５の例示的な処理論理は、決まった間隔または必要に応じて繰返してよいことにも留意されたい。例えば、移動端末１２が、ＷＣＤＭＡネットワークまたは定期的に更新される信号品質測定値を当てにする他の種類の無線通信ネットワーク中で使用するように設計されている場合、タイムスロットごとに繰返してもよい。
【０１３９】
さらに、キャンセルメトリックは上記の処理と連携して更新することができることも留意すべきである。例えば、移動端末１２が考慮しているどのセルに対するキャンセルメトリックも、タイムスロットごとまたは他の繰り返しベースで動的に更新でき、その結果、キャンセルメトリックは、移動端末の受信機３４が測定するほぼ即時のＩＳＩキャンセル性能を反映する。
【０１４０】
キャンセルメトリックの例示的推定は、式（１３）、（１４）、（１５）中のサンプルｇｆＣＰＩＣＨ（ｎ）の代わりにサンプル
【０１４１】
2007529174.tif 000049
【０１４２】
と
【０１４３】
2007529174.tif 000050
【０１４４】
を代入することにより取得してもよい。その置き換えにより取得される結果は、それぞれ
【０１４５】
2007529174.tif 000051
【０１４６】
および
【０１４７】
2007529174.tif 000052
【０１４８】
で示される。ここで、フィルタのパラメータの値は上記のλ２が選ばれている。重みの２乗の合計は、例えば次のようにフィルタされる。
【０１４９】
2007529174.tif 000053
【０１５０】
従って、既知のセルに対して、キャンセルメトリックｕを次のように定義してもよい。
【０１５１】
2007529174.tif 000054
【０１５２】
従って、図５の処理論理は、セルごとの繰り返し作業中あるいは全セルの計算終了時点で且つ総合受信信号の品質推定値の計算後に、キャンセルメトリックの動的更新を実行するステップを含むことができる。全工程内のその論理的位置付けにかかわらず、要点は、例示的な処理がその時点のＩＳＩキャンセル性能を反映するキャンセルメトリックのために即時の値を維持することを踏まえているように、キャンセルメトリックが必要または要望に応じて、例えばタイムスロットに付き１回、更新できることである。
【０１５３】
代わりに、キャンセルメトリックは、移動端末１２の記憶装置の中にあらかじめ設定した（固定）値として格納できる。あらかじめ設定する値は、例えば移動端末１２の製造中のある時点で受信機３４のＩＳＩキャンセル性能を特徴図けるこにとにより取得してもよい。もっと一般的には、移動端末１２に実装されている受信機３４の種類の特徴に基づく適切な値のキャンセルメトリックを、移動端末１２のメモリに置いてもよい。実施形態によっては、移動端末１２は、即時のキャンセルメトリック使用とあらかじめ設定したキャンセルメトリック使用の間で切り替えてもよいし、また既知のセルに対してはあらかじめ設定した値を使用し別のセルに対しては即時の値を使用してもよい。
【０１５４】
キャンセルメトリックｕがセルごとに計算される場合、および１組のセルが同じ干渉キャンセル方法を使用している場合は、それら全部のセルに対するキャンセルメトリックは平均化できる。キャンセルメトリックを頻繁に、例えばタイムスロット当たり１回、更新することを望む場合、図５のステップ１１６が、既知のセルのキャンセルメトリックの最新の決定値を使用し確実に実行されることが望ましい。しかし、動的に計算されるキャンセルメトリックは、１つ以上の例示的な実施形態によると、フィルタを通した値として計算されるので、スロットからスロットへの移行の中でその値に目覚しい変化はありえない。すなわち、処理回路３６は、受信信号品質計算の中でその値を使用する前に、式（１７）から得られるキャンセルメトリック値をフィルタするよう設計してもよい。
【０１５５】
上記の処理に関して、雑音分散の推定値の使用を思い出すかもしれない。本文書の一部を構成する同時の継続中の出願は例示的詳細を提供するが、興味のある読者はさらに関連する手引きとして直ぐ後の数学的展開を精査してもよい。
【０１５６】
ネットワーク基地局の送信機から送信される信号が、以下のようにモデル化されるとしよう。
【０１５７】
2007529174.tif 000055
【０１５８】
ここで、ｐは物理チャネルを順に挙げる。αｐは物理チャネルｐに対する信号振幅、ｃｎ（ｐ）は、スクランブルコード×チャネル化コード×送信シンボル。ψｔｒは送信フィルタ。ｔはアナログ領域の時間変数である。指定順ｎはチップを順次挙げ、△ｃｈｉｐは１つのチップのタイムスパンである。
【０１５９】
異なる物理チャネルに送信されるシンボルストリームは互いに独立であると仮定すると、以下の属性を持つ。
【０１６０】
2007529174.tif 000056
【０１６１】
ここで、ｉ＝ｊの場合はδｉｊは１であり、その他の場合は０である。次いで、受信ベースバンド信号は次式のようになる。
【０１６２】
2007529174.tif 000057
【０１６３】
ここで、ｈｌｐｒｏｐは遅延τｌに対する伝播チャネルの影響をモデル化している。ψは送信フィルタψｔｒと受信フィルタψｒｅの畳み込みである。μは他のセルからの干渉および熱雑音の影響をモデル化しており、熱雑音は独立した白色ガウス雑音プロセスとしてモデル化されている。
【０１６４】
さらに次式も持っている
【０１６５】
2007529174.tif 000058
【０１６６】
ここで、ｔ１＝ｔ２の場合δ（ｔ１−ｔ２）は１に等しく、それ以外の場合は０である。送信フィルタおよび受信フィルタは、整数ｍ＝０のときψ（ｍ△ｃｈｉｐ）は１に等しく、その他のとき０の値を持ち、十分よくルートレイズドコサインフィルタに近似すると想定してよい。
【０１６７】
ここで、時間遅延τ且つ物理チャネル番号１に対するＳシンボル上の逆拡散された平均化信号をχτで表すと、以下が求まる。
【０１６８】
2007529174.tif 000059
【０１６９】
上式から、以下を示すのは容易である。
【０１７０】
2007529174.tif 000060
【０１７１】
ｙ＝χτ−Ｅ（χτ）としよう。従って、次式が得られる。
【０１７２】
2007529174.tif 000061
【０１７３】
次いで、式（Ａ１）と（Ａ２）を使用し、以下のように表してもよい。
【０１７４】
2007529174.tif 000062
【０１７５】
実際には、十分に正確な推定方法は、伝播チャネル遅延は整数チップ長離れているという想定にたぶん基づいている。さらに、遅延
【０１７６】
2007529174.tif 000063
【０１７７】
は同じチップ長離れたグリッドから選ばれると仮定すると、次式が得られる。
【０１７８】
2007529174.tif 000064
【０１７９】
式（Ａ４）から、次式が得られる。
【０１８０】
2007529174.tif 000065
【０１８１】
受信信号の強度指標（ＲＳＳＩ）は次式のように定義してもよい。
【０１８２】
2007529174.tif 000066
【０１８３】
次いで、τが伝播チャネル遅延のどれとも同時に起こらないとき、式（Ａ５）はＲＳＳＩと等しくなる。干渉Ｉτ＝Ｓ・ｓｆ・Ｅ（｜ｙτ｜２）であると定義し、Ｔをｙτを生成するために使用する１組の時間遅延としよう。Ｔは少なくとも１組の伝播チャネル遅延Ｌを含むと仮定してもよい。その場合には、式（Ａ５）から次式が得られる。
【０１８４】
2007529174.tif 000067
【０１８５】
ここで、｜Ｔ｜はＴの組の中の要素数を表す。これで雑音分散を解くことができる。
【０１８６】
2007529174.tif 000068
【０１８７】
ここで、セットＥは、Ｔに含まれているがＬには含まれていない遅延の組と定義される。
【０１８８】
上記の説明を考慮して、当業者は本発明の受信信号の品質推定の改善を理解するであろう。その改善は、受信ＤＰＣＨ信号に対し各ＷＣＤＭＡタイムスロットの早い時期にＴＰＣコマンドを生成するなどの、時間が決定的に重要なアプリケーションには特に利益を提供するが、本発明は決してそのようなアプリケーションに限られていない。実際は、本発明は、受信信号中のキャンセルされていないＩＳＩの割合を示すスカラー値のＩＳＩキャンセルメトリックの使用をあまねく開示する。従って、本発明は、以下の特許請求の範囲およびその正当な均等物によってだけ限定される。
【図面の簡単な説明】
【０１８９】
【図１】例示的な無線通信装置およびその通信を可能にする例示的な無線通信ネットワークの図である。
【図２】本発明の１つ以上の実施形態に基づく受信機処理回路が実行する例示的な処理論理の図である。
【図３】本発明による例示的な無線通信装置の図である。
【図４】図３の装置の例示的な受信機の詳細図である。
【図５】本発明の１つ以上の実施形態を実現する例示的な処理論理の詳細図である。
【図１】
2007529174.tif 000069
【図２】
2007529174.tif 000070
【図３】
2007529174.tif 000071
【図４】
2007529174.tif 000072
【図５】
2007529174.tif 000073
【国際調査報告】
2007529174.tif 000074
2007529174.tif 000075